(57)【特許請求の範囲】
【請求項１】
キャリア本体、腰ベルト、肩ベルト及び肩ベルト調整ベルトを有するベビーキャリアを覆うベビーキャリアカバーであって、
前記ベビーキャリアのキャリア本体を覆うカバー本体部と、
前記ベビーキャリアの腰ベルトを覆う腰ベルトカバー部と、
前記ベビーキャリアの肩ベルトを覆う肩ベルトカバー部と、が一体に形成され、
前記カバー本体部は、前記ベビーキャリアを挿入する第１開口部及び前記ベビーキャリアの肩ベルト調整ベルトを挿通する第２開口部を備えて袋状に形成され、
前記腰ベルトカバー部は、前記カバー本体部の下部に設けられ、端部に開口を有する袋帯状に左右に延伸され、
前記肩ベルトカバー部は、前記カバー本体部の上部左右に所定の角度で設けられ、端部に開口を有する袋帯状に延伸されていることを特徴とするベビーキャリアカバー。
【請求項２】
前記カバー本体部は、
前記肩ベルトカバー部の開口と前記第２開口部の間にスリットが設けられ、該スリットにスリット開閉部が設けられていることを特徴とする請求項１に記載のベビーキャリアカバー。
【請求項３】
前記肩ベルトカバー部は、前記カバー本体部の上部左右に、カバー本体部中心線に対し１０〜１２０°の角度で設けられていることを特徴とする請求項１又は２に記載のベビーキャリアカバー。
【請求項４】
キャリア本体、腰ベルト、肩ベルト及び肩ベルト調整ベルトを有するベビーキャリアを覆うベビーキャリアカバーであって、
前記ベビーキャリアのキャリア本体を覆うカバー本体部と、
前記ベビーキャリアの腰ベルトを覆う腰ベルトカバー部と、が一体に形成され、
前記カバー本体部は、前記ベビーキャリアを挿入する第１開口部、前記ベビーキャリアの肩ベルト調整ベルトを挿通する第２開口部、及び前記ベビーキャリアの肩ベルトを挿通する第３開口部を備えて袋状に形成され、
前記腰ベルトカバー部は、前記カバー本体部の下部に設けられ、端部に開口を有する袋帯状に左右に延伸されていることを特徴とするベビーキャリアカバー。
【請求項５】
前記カバー本体部は、
前記第２開口部と前記第３開口部の間にスリットが設けられ、該スリットにスリット開閉部が設けられていることを特徴とする請求項４に記載のベビーキャリアカバー。
【請求項６】
前記肩ベルトを挿通するための第３開口部には、肩ベルトカバーを着脱自在に装着可能な肩ベルトカバー装着部が備えられていることを特徴とする請求項４又は５に記載のベビーキャリアカバー。
【発明の詳細な説明】
【技術分野】
【０００１】
本発明は、ベビーキャリアカバーに係り、より詳しくは、乳幼児を前向き又は後ろ向きに抱いた状態で保持する構成のベビーキャリアに装着されて使用されるベビーキャリアカバーに関する。
【背景技術】
【０００２】
乳幼児を連れて外出などをする際に、おんぶ紐や抱っこ紐等のベビーキャリアが用いられる。
このようなベビーキャリアとしては、例えば、図１に示すように、主に乳幼児の股から上半身を包み込むように保持するキャリア本体１と、キャリア本体１の背当て部から延設されてキャリア本体１を使用者の身体に支持させる左右の肩ベルト２と、肩ベルトに嵌着される肩ベルト調整ベルト３と、ベビーキャリアのキャリア本体部１の下部から延設されてキャリア本体を使用者の腰部に支持させる腰ベルト４を備えて構成されているものが用いられている。また、肩ベルト２と肩ベルト調節ベルト３とが一体に形成されたものや、フード５を有するもの、キャリア本体１の背当て部の外側にポケット部を有するものなどがある。
【０００３】
このようなベビーキャリアは、ベビーキャリア内での乳幼児の動きが比較的自由になるようにして、乳幼児に圧迫感を与えないようにしてあるため、乳幼児のベビーキャリア内での動きや使用中の揺動により、乳幼児が接するキャリア本体１の乳幼児側の表面や乳幼児の脚が触れる部分、肩ベルト２、腰ベルト４などに、摩耗、損傷や汚れが発生し易い。
乳幼児のよだれ等による汚れについては、ベビーキャリアに装着する汚れ防止カバーが提案されているが（例えば、特許文献１、２参照）、このような汚れ防止カバーは、汚れ易い部分やベビーキャリア外部表面のカバーのみの局部的なものであり、乳幼児の動きによる表面の摩耗や損傷に対応できるものではなかった。
また、肩ベルト２や腰ベルト４などの摩耗し易い部分にカバーを当てたとしても、乳幼児の動きや使用中の揺動により、カバーがずれてしまうためベビーキャリアの機能を損なう場合があった。
【先行技術文献】
【特許文献】
【０００４】
【特許文献１】実案登録第３１７２８６７号公報
【特許文献２】特開２０１５−２０５０９８号公報
【発明の開示】
【発明が解決しようとする課題】
【０００５】
本発明は、上記従来の問題点に鑑みてなされたものであって、本発明の目的は、ベビーキャリアの機能を十分保持したままで、乳幼児の動きや使用中の揺動によって発生する表面の摩耗や損傷を未然に防止し、着脱が容易で洗い替え可能なベビーキャリアカバーを提供することにある。
【課題を解決するための手段】
【０００６】
上記目的を達成するためになされた本発明の一態様によるキャリアカバーは、キャリア本体、腰ベルト、肩ベルト及び肩ベルト調整ベルトを有するベビーキャリアを覆うベビーキャリアカバーであって、前記ベビーキャリアのキャリア本体を覆うカバー本体部と、前記ベビーキャリアの腰ベルトを覆う腰ベルトカバー部と、前記ベビーキャリアの肩ベルトを覆う肩ベルトカバー部と、が一体に形成され、前記カバー本体部は、前記ベビーキャリアを挿入する第１開口部及び前記ベビーキャリアの肩ベルト調整ベルトを挿通する第２開口部を備えて袋状に形成され、前記腰ベルトカバー部は、前記カバー本体部の下部に設けられ、端部に開口を有する袋帯状に左右に延伸され、前記肩ベルトカバー部は、前記カバー本体部の上部左右に所定の角度で設けられ、端部に開口を有する袋帯状に延伸されていることを特徴とする。
【０００７】
前記カバー本体部は、前記肩ベルトカバー部の開口と前記第２開口部の間にスリットが設けられ、該スリットにスリット開閉部が設けられていることが好ましい。
【０００８】
前記肩ベルトカバー部は、前記カバー本体部の上部左右に、カバー本体部中心線に対し１０〜１２０°の角度で設けられていることが好ましい。
【０００９】
上記目的を達成するためになされた本発明の一態様によるキャリアカバーは、キャリア本体、腰ベルト、肩ベルト及び肩ベルト調整ベルトを有するベビーキャリアを覆うベビーキャリアカバーであって、前記ベビーキャリアのキャリア本体を覆うカバー本体部と、前記ベビーキャリアの腰ベルトを覆う腰ベルトカバー部と、が一体に形成され、前記カバー本体部は、前記ベビーキャリアを挿入する第１開口部、前記ベビーキャリアの肩ベルト調整ベルトを挿通する第２開口部、及び前記ベビーキャリアの肩ベルトを挿通する第３開口部を備えて袋状に形成され、前記腰ベルトカバー部は、前記カバー本体部の下部に設けられ、端部に開口を有する袋帯状に左右に延伸されていることを特徴とする。
【００１０】
前記カバー本体部は、前記第２開口部と前記第３開口部の間にスリットが設けられ、該スリットにスリット開閉部が設けられていることが好ましい。
【００１１】
前記肩ベルトを挿通するための第３開口部には、肩ベルトカバーを着脱自在に装着可能な肩ベルトカバー装着部が備えられていることが好ましい。
【発明の効果】
【００１２】
本発明のキャリアカバーによれば、ベビーキャリアの本体及びベルト部にフィットし、ベビーキャリアの機能を損なうことなく、ベビーキャリアの汚れ防止、摩耗等による損傷の防止が可能となり、洗い替えや季節に合わせた交換が容易となる。
【図面の簡単な説明】
【００１３】
【図１】通常用いられるベビーキャリアの例示図である。
【図２】本発明の一実施形態に係るベビーキャリアカバーの概略図である。
【図３】本発明の一実施形態に係るベビーキャリアカバーの第１開口部の例示図である。
【図４】図２のベビーキャリアカバーにスリットを設けたベビーキャリアカバーの概略図である。
【図５】本発明の他の実施形態に係るベビーキャリアカバーの概略図である。
【図６】図５のベビーキャリアカバーにスリットを設けたベビーキャリアカバーの概略図である。
【発明を実施するための形態】
【００１４】
本発明の実施の形態を以下に図を参照して説明するが、本発明はこれに限定されるものではない。
図２は、本発明の一実施形態に係るベビーキャリアカバー１０の概略図である。
本実施形態のベビーキャリアカバー１０は、キャリア本体、腰ベルト、肩ベルト及び肩ベルト調整ベルトを有するベビーキャリアを覆うベビーキャリアカバーであって、ベビーキャリアのキャリア本体を覆うカバー本体部１２と、ベビーキャリアの腰ベルトを覆う腰ベルトカバー部１４と、ベビーキャリアの肩ベルトを覆う肩ベルトカバー部１６と、が一体に形成され、前記カバー本体部１２は、前記ベビーキャリアを挿入する第１開口部１８及びベビーキャリアの肩ベルト調整ベルトを挿通する第２開口部２０を備えて袋状に形成され、腰ベルトカバー部１４は、カバー本体部１２の下部に設けられ、端部に開口を有する袋帯状に左右に延伸され、肩ベルトカバー部１６は、カバー本体部１２の上部左右に所定の角度で設けられ、端部に開口を有する袋帯状に延伸されている。
【００１５】
ベビーキャリアのキャリア本体を覆うカバー本体部１２には、ベビーキャリアをベビーキャリアカバー１０内に挿入するための第１開口部１８が設けられる。
ベビーキャリアを挿入するための第１開口部１８は、図２の実施形態においては、カバー本体部１２の上部に設けられ、ベビーキャリアに付属したベビー用フードの取り出し口としても用いることができる。
第１開口部１８は、ベビーキャリアを挿入することができる大きさの開口であり、例えば、伸ばした状態で２０ｃｍほどの幅の大きさである。
また、カバー本体部１２の第１開口部１８近傍にベビー用フード（図示しない）や第１開口部１８を覆うカバー素材（図示しない）を設けてもよい。
【００１６】
ベビーキャリアを挿入するための第１開口部１８の設置位置は、図２に示すようなカバー本体部１２の上部に限定されるものではない。図３は、本実施形態に係るベビーキャリアカバー１０の第１開口部の例示図である。
図３のＡは、カバー本体部１２の背外面部に円形の第１開口部２２を有する例である。このような開口部とすることで、ベビーキャリアカバー１０のベビーキャリアへの着脱が容易になる。
図３のＢは、カバー本体部１２と腰ベルトカバー部１４との境界部に第１開口部２４を設けた例である。第１開口部２４は、カバー本体部１２と腰ベルトカバー部１４のカバー素材を重ね合わせ、使用時には開口部が外部から見えないようにすることが好ましい。
図３のＣは、カバー本体部１２の背外面部のベビーキャリア本体のポケットが対応する位置に、ファスナーや釦等の開閉具を有する第１開口部２６を設けた例である。第１開口部２６は、ベビーキャリア使用時にベビーキャリアのポケット部を使用するための開口部としても使用できる。
【００１７】
図３に示したようにベビーキャリアを挿入するための第１開口部をカバー本体部１２の背外面部に設けることにより、乳幼児が頻度高く接するカバー本体上部の開口部がなくなり、ベビーキャリア本体の摩耗や汚れが防止できる。
また、第１開口部１８がカバー本体１２の上部にある場合には、ベビー用フードを設けることやカバー素材の重ね合わせを設けることが好ましく、これにより第１開口部１８におけるベビーキャリア本体の摩耗や汚れが防止できる。
【００１８】
ベビーキャリアの腰ベルトを覆う腰ベルトカバー部１４は、カバー本体部１２の下部に、端部に開口を有する袋帯状に左右に延伸されて設けられる。カバー本体部１２と腰ベルトカバー部１４は、ベビーキャリアカバー１０内で連通しており、ベビーキャリアカバー１０内に挿入されたベビーキャリアの腰ベルトは、腰ベルトカバー部１４の左右の開口より引き出される。
【００１９】
肩ベルトカバー部１６は、カバー本体部１２の上部左右に所定の角度で設けられ、一方の端部がカバー本体部１２と連通し、他方の端部が開口する袋帯状に延伸される。
ベビーキャリアカバー１０内に挿入されたベビーキャリアの肩ベルトは、肩ベルトカバー部１６の左右の開口より引き出される。
肩ベルトカバー部１６は、ベビーキャリア使用者の肩部に当接する部位であり、肩ベルトカバー部１６が偏った被覆状態でベルトをカバーしていると、ベビーキャリア使用者の負担が増大する。
【００２０】
本実施形態のベビーキャリアカバー１０は、カバー本体部１２と、腰ベルトカバー部１４と、肩ベルトカバー部１６とが一体に形成されることにより、使用中にカバーのずれを生じず、ベビーキャリアの機能を損なうことなく使用できることを特徴としている。
本実施形態のベビーキャリアカバー１０は、肩ベルトカバー部１６が偏ったカバー状態とならないようにするために、肩ベルトカバー部１６がカバー本体部１２の上部左右に所定の角度で設けられている。
カバー本体部１２に対する肩ベルトカバー部１６の取り付け角度（図２のＫ）は、カバー本体部１２の中心線（図２に示す一点鎖線ａ）に対し１０〜１２０°の角度で設けられていることが好ましく、４０〜７０°であることが更に好ましい。
上記角度で肩ベルトカバー部１６をカバー本体部１２の上部左右に取り付けることにより、偏った被覆状態とならずに肩ベルトをカバーすることができる。
【００２１】
本実施形態のベビーキャリアカバー１０のカバー本体部１２の左右の側面部には、ベビーキャリアの肩ベルト調整ベルトを挿通する第２開口部２０が設けられる。
第２開口部２０と肩ベルトカバー部１６の開口との間にスリット２８を設け、スリット２８にファスナーや釦等の締結具を備えたスリット開閉部を設けるようにしてもよい。
図４は、図２のベビーキャリアカバーにスリットを設けたベビーキャリアカバーの概略図である。このような構成とすることにより、肩ベルトと肩ベルト調整ベルトが一体に設けられたベビーキャリアにおいても本実施形態のベビーキャリアカバー１０を用いることができる。
【００２２】
本実施形態のベビーキャリアカバー１０に用いるカバー素材は、特に限定されるものではないが、乳幼児にじかに接するものであるため、布地素材等の乳幼児の肌に刺激を与えない素材であることが好ましい。
また、防水性（撥水性）、防蚊性、防汚性、通気性などの機能性素材を適所に用いてもよい。
また、腰ベルトカバー部１４、肩ベルトカバー部１６の端部の開口部には、伸縮性の素材を用いることが、ベルトとのフィット性を高める上で好ましく、これによりベルトとのフィット性が向上し、使用中にまくれ上がるなどのカバーのずれが防止できる。
更に、耐摩耗性を向上させるために、腰ベルトカバー部１４、肩ベルトカバー部１６、キャリア本体１２の摩耗し易い部位に、当て布などの補強素材を設けることによりベビーキャリアカバー１０の耐久性も向上するので好ましい。
【００２３】
図５は、本発明の他の実施形態に係るベビーキャリア３０の概略図である。
本実施形態のベビーキャリアカバー３０は、キャリア本体、腰ベルト、肩ベルト及び肩ベルト調整ベルトを有するベビーキャリアを覆うベビーキャリアカバーであって、ベビーキャリアのキャリア本体を覆うカバー本体部３２と、ベビーキャリアの腰ベルトを覆う腰ベルトカバー部３４とが一体に形成され、カバー本体部３２は、ベビーキャリアを挿入する第１開口部３８、ベビーキャリアの肩ベルト調整ベルトを挿通する第２開口部４０、及びベビーキャリアの肩ベルトを挿通する第３開口部４２を備えて袋状に形成され、腰ベルトカバー部３４は、カバー本体部３２の下部に設けられ、端部に開口を有する袋帯状に左右に延伸されている。
【００２４】
ベビーキャリアのキャリア本体を覆うカバー本体部３２は、ベビーキャリアを挿入する第１開口部３８、ベビーキャリアの肩ベルト調整ベルトを挿通する第２開口部４０、及びベビーキャリアの肩ベルトを挿通する第３開口部４２を備えて袋状に形成され、端部に開口を有する袋帯状に下部に設けられた腰ベルトカバー部３４とはベビーキャリアカバー３０の内部で連通している。
【００２５】
本実施形態のベビーキャリアカバー３０において、腰ベルトカバー部３４、第１開口部３８、第２開口部４０、用いるカバー素材については、前述の実施形態と同様であるので、その説明は省略する。
【００２６】
カバー本体部３２に設けられた第３開口部４２は、ベビーキャリアの肩ベルトを挿通するための開口部であり、カバー本体部３２の上部左右に所定の角度で設けられていることが、カバー本体部３２が偏ったカバー状態とならないようにするために好ましい。
カバー本体部３２に対する第３開口部４２の取り付け角度（図５のＫ）は、カバー本体部３２の中心線（図５に示す一点鎖線ａ）に対し１０〜１２０°の角度で設けられていることが好ましく、４０〜７０°であることが更に好ましい。
上記角度で第３開口部４２をカバー本体部３２の上部左右に取り付けることにより、カバー本体部３２が偏った被覆状態とならずにベビーキャリア本体部をカバーすることができる。
【００２７】
また、第２開口部４０と第３開口部４２との間にスリット４４を設け、スリット４４にファスナーや釦等の締結具を備えたスリット開閉部を設けるようにしてもよい。
図６は、図５のベビーキャリアカバーにスリットを設けたベビーキャリアカバーの概略図である。このような構成とすることにより、肩ベルトと肩ベルト調整ベルトが一体に設けられたベビーキャリアにおいてもベビーキャリアカバー３０の使用を可能にするので好ましい。
【００２８】
本実施形態のベビーキャリアカバー３０は、第３開口部４２の開口周辺部にファスナーや釦等の締結具を備えた肩ベルトカバー装着部を設け、着脱可能な袋帯状の肩ベルトカバー部を装着可能にしてもよい。着脱可能な肩ベルトカバー部の端部には、肩ベルトカバー装着部に締結可能な締結具が設けられる。
【００２９】
また、着脱可能な肩ベルトカバー部には、肩ベルトと肩ベルト調整ベルトが一体に設けられたベビーキャリアにおいても使用可能なように、袋帯状の着脱可能な肩ベルトカバー部の端部開口部間にスリット４４を設け、スリット４４にファスナーや釦等の締結具を備えたスリット開閉部を設けるようにすることが好ましい。
【００３０】
本発明のベビーキャリアカバーによれば、カバーがベビーキャリアの本体及びベルトにフィットし、ベビーキャリアの機能を十分保持したままで、乳幼児の動きや使用中の揺動によって発生する表面の摩耗や損傷を未然に防止し、着脱が容易で洗い替え可能で季節に合わせた着せ替えが容易となる。
また、本発明のベビーキャリアカバーを用いることにより、ベビーキャリアの予備が不要で、長く清潔な状態でベビーキャリアを用いることができるばかりでなく、ベビーキャリアを使用する際のおしゃれを楽しむことができ、季節や参加行事、使用者などに合わせた着せ替えが可能になる。
【符号の説明】
【００３１】
１      キャリア本体
２      肩ベルト
３      肩ベルト調整ベルト
４      腰ベルト
５      フード
１０、３０      ベビーキャリアカバー
１２、３２      カバー本体部
１４、３４      腰ベルトカバー部
１６      肩ベルトカバー部
１８、２２、２４、２６、３８      第１開口部
２０、４０      第２開口部
２８、４４      スリット
４２      第３開口部
【図１】
0006677940.tif 000002
【図２】
0006677940.tif 000003
【図３】
0006677940.tif 000004
【図４】
0006677940.tif 000005
【図５】
0006677940.tif 000006
【図６】
0006677940.tif 000007